(57)【要約】【課題】ＤＤＣに対応した映像表示装置において、ホスト側に、映像表示装置の属性に合わせた設定を複数種類の映像信号について行わせることができるようにし、且つ、低コスト化や小型化を促進する。【解決手段】ＤＤＣに対応した映像表示装置に、１個のＤＤＣ対応不揮発性メモリ１１と、入力する映像信号の種類を示す情報に基づき、複数種類の映像信号用のＥＤＩＤデータのうち、この入力する映像信号用のＥＤＩＤデータをＤＤＣ対応不揮発性メモリ１１に書き込む制御手段１３とを備える。【選択図】　　　　　　図５
2004102067.tif 000002
【特許請求の範囲】
【請求項１】
ＤＤＣに対応した映像表示装置において、
１個のＤＤＣ対応不揮発性メモリと、
入力する映像信号の種類を示す情報に基づき、複数種類の映像信号用のＥＤＩＤデータのうち、前記入力する映像信号用のＥＤＩＤデータを前記ＤＤＣ対応不揮発性メモリに書き込む制御手段と
を備えたことを特徴とする映像表示装置。
【請求項２】
請求項１に記載の映像表示装置において、
前記複数種類の映像信号の中から、入力する映像信号を選択するための操作手段
をさらに備え、
前記制御手段は、前記操作手段での選択結果を示す情報に基づいて前記ＤＤＣ対応不揮発性メモリに書き込みを行うことを特徴とする映像表示装置。
【請求項３】
請求項１に記載の映像表示装置において、
前記複数種類の映像信号用のＥＤＩＤデータが、各種データを格納するために前記映像表示装置内に設けられているメモリに、他のデータとともに格納されていることを特徴とする映像表示装置。
【請求項４】
請求項１に記載の映像表示装置において、
前記複数種類の映像信号用のＥＤＩＤデータが、前記制御手段の内蔵メモリに、前記制御手段が実行すべきプログラムとともに格納されていることを特徴とする映像表示装置。
【請求項５】
請求項１に記載の映像表示装置において、
前記ＤＤＣ対応不揮発性メモリを、前記制御手段と、前記映像表示装置につながれたホストとのうちの一方に切り替えて接続させるための切替手段
をさらに備え、
前記制御手段は、前記ＤＤＣ対応不揮発性メモリに書き込みを行う際には、前記切替手段で、前記ＤＤＣ対応不揮発性メモリを前記制御手段のほうに接続させることを特徴とする映像表示装置。
【発明の詳細な説明】
【０００１】
【発明の属する技術分野】
本発明は、ＤＤＣ（Ｄｉｓｐｌａｙ　Ｄａｔａ　Ｃｈａｎｎｅｌ）に対応した映像表示装置に関する。
【０００２】
【従来の技術】
映像表示装置用のプラグアンドプレイともいうべき規格として、ＤＤＣ（Ｄｉｓｐｌａｙ　Ｄａｔａ　Ｃｈａｎｎｅｌ）という規格が存在している。ＤＤＣは、ホスト（映像信号を出力する機器）と映像表示装置との間で映像表示装置の属性（最適な解像度等）の情報をやりとりして、ホスト側が映像表示装置の属性に合わせた設定を自動的に行なえるようにするものである。
【０００３】
ＤＤＣでは、映像表示装置の属性の情報は、ＥＤＩＤ（Ｅｘｔｅｎｄｅｄ　Ｄｉｓｐｌａｙ　Ｉｄｅｎｔｉｆｉｃａｔｉｏｎ　Ｄａｔａ）と呼ばれるフォーマット化されたデータの形でやりとりされる。そして、映像表示装置の電源が入っていない状態でも、ホスト側から映像表示装置に電源を供給して、映像表示装置からホストにこのＥＤＩＤデータを送信することが可能とされている。このため、映像表示装置内では、電源が入っていない状態でもＥＤＩＤデータが消えることがないように、ＥＥＰＲＯＭ等の不揮発性メモリにＥＤＩＤデータが格納される。
【０００４】
古くは、ＤＤＣに対応した映像出力機器はコンピュータのみであった。コンピュータが出力するＲＧＢ信号の解像度には、ＶＧＡ，ＳＶＧＡ，ＸＧＡ，ＳＸＧＡといった種類が存在している。そこで、ＤＤＣに対応した従来の映像表示装置では、解像度に関しては例えば‘ＳＶＧＡが最適である’という内容のＲＧＢ信号用のＥＤＩＤデータが不揮発性メモリに格納されていた（例えば、特許文献１参照。）。
【０００５】
【特許文献１】
特開平９−１２８３３０号公報（第２頁、図６）
【０００６】
【発明が解決しようとする課題】
これに対し、最近、ＤＴＶ（デジタルテレビジョン放送）用のＳＴＢ（セットトップボックス）にも、ＤＤＣに対応するものが登場してきた。ＤＴＶのテレビジョン信号（以下‘ＤＴＶ信号’と呼ぶ）の解像度には、１０８０Ｉ，４８０Ｉ，４８０Ｐ，７２０Ｐといった種類（Ｉ，Ｐはインターレースかプログレッシブかの走査方式の区別）が存在している。
【０００７】
ＤＤＣに対応した映像表示装置が、こうしたＳＴＢにも映像表示装置の属性に合わせた設定を行わせるためには、解像度に関しては例えば‘４８０Ｉが最適である’という内容のＤＴＶ信号用のＥＤＩＤデータも不揮発性メモリに格納することが必要になる。
【０００８】
ところが、ＤＤＣでは、メモリ内のどのアドレスにはどのような項目のＥＤＩＤデータを格納すべきかが規定されている。図１は、ＤＤＣによるメモリの使用エリアを示す。アドレス０〜１２７（バイト）のエリアがＥＤＩＤデータ格納用用の標準エリアとされ、アドレス１２８〜１９１，アドレス１９２〜２５５，アドレス２５６〜３１９，アドレス３２０〜３８３のエリアがそれぞれ拡張エリアとされる。そして、この標準エリアのうちの所定のアドレスに、解像度に関するＥＤＩＤデータを格納すべきことが規定されている。この所定のアドレスには、解像度に関するＥＤＩＤデータは１つしか（前述の例では、‘ＳＶＧＡが最適である’という内容のデータか、‘４８０Ｉが最適である’という内容のデータかのいずれか１つしか）格納することはできない。
【０００９】
また、ＲＧＢ信号用のＥＤＩＤデータは通常は標準エリアだけを使用して格納されているが、ＤＴＶ信号用のＥＤＩＤデータは、標準エリアだけでは格納しきれず、アドレス１２８〜１９１，アドレス１９２〜２５５の拡張エリアも使用して格納することになると考えられる。そして、標準エリアの所定のアドレスには、拡張エリアにＥＤＩＤデータが格納されている場合には‘拡張エリアからもＥＤＩＤデータを読み出せ’という内容のデータを書き込み、逆に拡張エリアにＥＤＩＤデータが格納されていない場合には‘拡張エリアからはＥＤＩＤデータを読み出すな’という内容のデータを書き込むべきことが規定されている。したがって、ＲＧＢ信号用のＥＤＩＤデータを拡張エリアも使用して格納するような特別なケースを除き、ＲＧＢ信号用のＥＤＩＤデータを格納する場合とＤＴＶ信号用のＥＤＩＤデータを格納する場合とでは、標準エリアのこの所定のアドレスには異なる内容のデータを格納しなければならない。
【００１０】
このような理由から、ＲＧＢ信号用のＥＤＩＤデータとＤＴＶ信号用のＥＤＩＤデータとの両方を１個の不揮発性メモリに格納することはできない。
【００１１】
そこで、映像表示装置の属性に合わせた設定をコンピュータ，ＳＴＢの両方に行わせる（ＲＧＢ信号，ＤＴＶ信号の両方について行わせる）ためには、例えば、ＲＧＢ信号用ＥＤＩＤデータを格納する不揮発性メモリとＤＴＶ信号用ＥＤＩＤデータとを格納する不揮発性メモリとを別々に設けるという方法が考えられる。
【００１２】
図２は、その方法を実現した例を示すブロック図である。ＤＤＣ対応ＥＥＰＲＯＭ（ＤＤＣ対応不揮発性メモリについては後述する）３１にはＲＧＢ信号用ＥＤＩＤデータが格納されており、ＤＤＣ対応ＥＥＰＲＯＭ３２にはＤＴＶ信号用ＥＤＩＤデータを格納されている。スイッチ回路３３は、映像表示装置につながれたコンピュータやＳＴＢを、ＤＤＣ対応ＥＥＰＲＯＭ３１，３２のうちのいずれと接続させるかを切り替えるためのものである。
【００１３】
映像表示装置にコンピュータがつながれると、映像表示装置内のＣＰＵ３４が、ユーザーの操作等に基づき、スイッチ回路３３を制御して、ＤＤＣ対応ＥＥＰＲＯＭ３１をそのコンピュータに接続させる。これにより、そのコンピュータと映像表示装置との間でＲＧＢ信号用ＥＤＩＤデータがやりとりされるので、そのコンピュータに、映像表示装置の属性に応じた設定をＲＧＢ信号について行わせることができる。
【００１４】
他方、映像表示装置にＳＴＢがつながれると、映像表示装置内のＣＰＵ３４が、ユーザーの操作等に基づき、スイッチ回路３３を制御して、ＤＤＣ対応ＥＥＰＲＯＭ３２をそのＳＴＢに接続させる。これにより、そのＳＴＢと映像表示装置との間でＤＴＶ信号用ＥＤＩＤデータがやりとりされるので、そのＳＴＢにも、映像表示装置の属性に応じた設定をＤＴＶ信号について行わせることができる。
【００１５】
しかし、この図２に例示したような方法では、映像表示装置内の不揮発性メモリの個数が多くなるので、コスト高を招くとともに、回路基板の面積が増大することにより映像表示装置全体の小型化が困難になってしまう。
【００１６】
特に、ＤＤＣにはＤＤＣ−１（映像表示装置からホストに一方的に情報の送信を行うもの）とＤＤＣ−２（映像表示装置とホストとの双方向通信を可能にしたもの）とが存在するが、ＤＤＣ−１とＤＤＣ−２とは通信プロトコルが異なっており、一般的なＥＥＰＲＯＭ等の不揮発性メモリはＤＤＣ−１の通信プロトコルには対応していない。
【００１７】
そのため、ＤＤＣ−１に対応したホスト，ＤＤＣ−２に対応したホストのいずれとの間でもＥＤＩＤデータのやりとりを行えるようにするためには、ＤＤＣ−１の通信プロトコルとＤＤＣ−２の通信プロトコルとの両方に対応した特殊な仕様の不揮発性メモリ（本明細書では‘ＤＤＣ対応不揮発性メモリ’と呼ぶことにする。図２のＤＤＣ対応ＥＥＰＲＯＭ３１，３２もこうしたＤＤＣ対応不揮発性メモリである。）にＥＤＩＤデータを格納することが必要になる。
【００１８】
このＤＤＣ対応不揮発性メモリは、一般的な不揮発性メモリよりも高価である。したがって、図２に例示したような方法は、この点からもますますコスト高を招いてしまう。
【００１９】
また、現在は、ＤＤＣに対応した映像出力機器は、ＲＧＢ信号を出力するコンピュータと、ＤＴＶ信号を出力するＳＴＢとの２種類のみである。しかし、将来的には、ＲＧＢ信号やＤＴＶ信号以外の映像信号（例えばデジタルコンポーネント信号）を出力する機器でＤＤＣに対応したものが登場することも予想される。
【００２０】
そうした場合に図２に例示したような方法をとっていたのでは、映像信号の種類が増える毎に不揮発性メモリの個数を増やさなければならなくなるので、ますますコスト高や回路基板の面積の増大を招いてしまうことになる。
【００２１】
本発明は、上述の点に鑑み、ＤＤＣに対応した映像表示装置において、ホスト側に、映像表示装置の属性に合わせた設定を複数種類の映像信号について行わせることができるようにし、且つ、低コスト化や小型化を促進することを課題としてなされたものである。
【００２２】
【課題を解決するための手段】
この課題を解決するために、本出願人は、ＤＤＣに対応した映像表示装置において、１個のＤＤＣ対応不揮発性メモリと、入力する映像信号の種類を示す情報に基づき、複数種類の映像信号用のＥＤＩＤデータのうち、この入力する映像信号用のＥＤＩＤデータをこのＤＤＣ対応不揮発性メモリに書き込む制御手段とを備えたものを提案する。
【００２３】
この映像表示装置では、ＤＤＣ対応不揮発性メモリは、映像信号の種類にかかわらず１個だけ設けられる。そして、ホストから或る種類の映像信号が映像表示装置に入力する際には、その映像信号の種類を示す情報に基づき、制御手段により、複数種類の映像信号用のＥＤＩＤデータのうちのその映像信号用のＥＤＩＤデータがこのＤＤＣ対応不揮発性メモリに書き込まれる。これにより、ホストと映像表示装置との間でその映像信号用のＥＤＩＤデータがやりとりされるので、ホスト側に、この映像表示装置の属性に合わせた設定をその映像信号について行わせることができるようにのにようになる。
【００２４】
また、その後ホストから別の種類の映像信号が映像表示装置に入力する際には、その別の種類を示す情報に基づき、制御手段により、このＤＤＣ対応不揮発性メモリ内のＥＤＩＤデータが、複数種類の映像信号用のＥＤＩＤデータのうちのその別の種類の映像信号用のＥＤＩＤデータに書き換えられる。これにより、今度はホストと映像表示装置との間でその別の種類の映像信号用のＥＤＩＤデータがやりとりされるので、ホスト側に、映像表示装置の属性に合わせた設定をその別の種類の映像信号について行わせることができるようになる。
【００２５】
このように、この映像表示装置では、ホストから入力する映像信号の種類に応じたＥＤＩＤデータが、ダイナミックにＤＤＣ対応不揮発性メモリに書き込まれる。
【００２６】
これにより、ホスト側に、映像表示装置の属性に合わせた設定を複数種類の映像信号について行わせることができる。
【００２７】
そして、ＤＤＣ対応不揮発性メモリは１個だけしか設けないので、映像表示装置の低コスト化が促進されるともに、回路基板の面積が狭くて済むようになって映像表示装置全体の小型化が促進される。
【００２８】
なお、この映像表示装置において、一例として、複数種類の映像信号の中から、入力する映像信号を選択するための操作手段をさらに備え、制御手段は、この操作手段での選択結果を示す情報に基づいてＤＤＣ対応不揮発性メモリに書き込みを行うようにすることが好適である。
【００２９】
それにより、ユーザーが、或る種類の映像信号を出力するホストをこの映像表示装置につなぐ際にその映像信号を選択する操作をこの操作手段で行うことにより、その映像信号用のＥＤＩＤデータがこのＤＤＣ対応不揮発性メモリに書き込まれるようになる。
【００３０】
また、この映像表示装置において、一例として、複数種類の映像信号用のＥＤＩＤデータは、各種データを格納するために映像表示装置内に設けられているメモリに、他のデータとともに格納しておくことが好適である。
【００３１】
あるいはまた、ＥＤＩＤデータの作成後にその内容を変更したりしない場合には、それらのＥＤＩＤデータを、制御手段の内蔵メモリに、制御手段が実行すべきプログラムとともに格納しておくことも好適である。
【００３２】
このように、映像表示装置内に標準装備されているメモリに複数種類の映像信号用のＥＤＩＤデータを格納することにより、映像表示装置の低コスト化や映像表示装置全体の小型化が一層促進されるようになる。
【００３３】
また、この映像表示装置において、一例として、ＤＤＣ対応不揮発性メモリを、制御手段と、この映像表示装置につながれたホストとのうちの一方に切り替えて接続させるための切替手段をさらに備え、制御手段は、ＤＤＣ対応不揮発性メモリに書き込みを行う際には、この切替手段で、ＤＤＣ対応不揮発性メモリを制御手段のほうに接続させる（ＤＤＣ対応不揮発性メモリとホストとの接続を切り離す）ことが好適である。
【００３４】
ＤＤＣ対応不揮発性メモリにＥＤＩＤデータの書き込む際にＤＤＣ対応不揮発性メモリがホストに接続されていると、ＤＤＣ対応不揮発性メモリ・ホスト間での通信が行われることにより書き込み途中のＥＤＩＤデータ（本来送信すべきＥＤＩＤデータとは異なるデータ）がホストに送信されたり、ＤＤＣ対応不揮発性メモリ・ホスト間の通信が原因でＤＤＣ対応不揮発性メモリ・制御手段間の通信に支障が生じたりすることがある。
【００３５】
そこで、ＤＤＣ対応不揮発性メモリへの書き込みの際にはＤＤＣ対応不揮発性メモリとホストとの接続を切り離すことにより、書き込み途中にＤＤＣ対応不揮発性メモリ・ホスト間で通信が行われることがなくなるので、そうした事態を防止できるようになる。
【００３６】
【発明の実施の形態】
以下、本発明を液晶プロジェクタに適用した例について、図面を用いて具体的に説明する。
【００３７】
図３は、本発明を適用した液晶プロジェクタと、ホストであるコンピュータやＳＴＢ（セットトップボックス）との接続の様子を示す図である。この液晶プロジェクタ１は、映像信号のデジタル伝送の規格であるＤＶＩ（Ｄｉｇｉｔａｌ　Ｖｉｓｕａｌ　Ｉｎｔｅｒｆａｃｅ）に対応している。パーソナルコンピュータ（以下単にコンピュータと呼ぶ）２，ＳＴＢ３も、同じくＤＶＩに対応している。液晶プロジェクタ１のＤＶＩコネクタ１ａをコンピュータ２のＤＶＩコネクタ（図示略）にＤＶＩケーブル４でつなぐことにより、液晶プロジェクタ１とコンピュータ２とが接続される。他方、このＤＶＩコネクタ１ａをＳＴＢ３のＤＶＩコネクタ（図示略）にＤＶＩケーブル５でつなぐことにより、液晶プロジェクタ１とＳＴＢ３とが接続される。
【００３８】
ＤＶＩではＤＤＣの採用が必須となっており、ＤＶＩコネクタにもＥＤＩＤデータ送受信用のＤＤＣ端子が設けられている。
【００３９】
図４は、液晶プロジェクタ１の本体表面の操作パネルに表示されるメニュー画面のうち、本発明に関連する部分を示す。このメニュー画面６には、入力するデジタル映像信号の種類としてコンピュータからのＲＧＢ信号を選択するための「コンピューター」の文字と、このデジタル映像信号の種類としてＤＴＶ信号を選択するための「ビデオＧＢＲ」の文字とが表示される。この２つの文字のうちの所望のデジタル映像信号を表す文字のほうにカーソルを移動させてカーソル位置を確定する操作を操作パネルで行うことにより、そのデジタル映像信号を選択することができる。
【００４０】
図５は、液晶プロジェクタ１内の回路のうち、本発明に関連する部分の構成例を示す。この液晶プロジェクタ１内には、ＤＤＣ対応不揮発性メモリとしては、ＤＤＣ対応ＥＥＰＲＯＭ１１が１個だけ設けられている。ＤＤＣ対応ＥＥＰＲＯＭ１１には、出荷時にはＥＤＩＤデータは格納されていない。
【００４１】
ＤＤＣ対応ＥＥＰＲＯＭ１１とＤＶＩコネクタ１ａ（図３に示したもの）との間には、スイッチ回路１２が設けられている。スイッチ回路１２は、ＤＤＣ対応ＥＥＰＲＯＭ１１を、液晶プロジェクタ１内のＣＰＵ１３とＤＶＩコネクタ１ａとのうちの一方に切り替えて接続させるためのものである。ＣＰＵ１３は液晶プロジェクタ１内の各部を制御するものであり、図４のメニュー画面６での選択結果を示す情報も操作パネルからこのＣＰＵ１３に送られる。
【００４２】
ＥＥＰＲＯＭ１４は、各種データを格納するために液晶プロジェクタ１内に標準装備されているメモリである。本発明の特徴として、ＥＥＰＲＯＭ１４には、ＲＧＢ信号用のＥＤＩＤデータ（解像度に関しては例えば‘ＳＶＧＡが最適である’という内容のデータ）とＤＴＶ信号用のＥＤＩＤデータ（解像度に関しては例えば‘４８０Ｉが最適である’という内容のデータ）とが、他のデータとともに格納されている。
【００４３】
図６は、液晶プロジェクタ１とホストとの間でのＥＤＩＤデータのやりとりを可能にするためにＣＰＵ１３が実行する処理を示すフローチャートである。この処理では、最初に、操作パネルからの情報に基づき、図４のメニュー画面６で、それまで選択されていなかったデジタル映像信号が新たに選択されたか否かを判断する（ステップＳ１）。
【００４４】
ノーであれば、この判断を繰り返す。そして、イエスになると、スイッチ回路１２を制御して、ＤＤＣ対応ＥＥＰＲＯＭ１１をＣＰＵ１３のほうに接続させる（ステップＳ２）。
【００４５】
続いて、メニュー画面６で新たに選択されたのが、ＲＧＢ信号であるか否かを判断する（ステップＳ３）。イエスであれば、ＥＥＰＲＯＭ１４からＲＧＢ信号用のＥＤＩＤデータを読み出して、そのＥＤＩＤデータをスイッチ回路１２経由でＤＤＣ対応ＥＥＰＲＯＭ１１に書き込む（ステップＳ４）。
【００４６】
他方、ステップＳ３でノーとなった場合（ＤＴＶ信号が新たに選択された場合）には、ＥＥＰＲＯＭ１４からＤＶＴ信号用のＥＤＩＤデータを読み出して、そのＥＤＩＤデータをスイッチ回路１２経由でＤＤＣ対応ＥＥＰＲＯＭ１１に書き込む（ステップＳ５）。
【００４７】
ステップＳ４またはＳ５を終えると、スイッチ回路１２を制御して、ＤＤＣ対応ＥＥＰＲＯＭ１１を、ＤＶＩコネクタ１ａのほうに接続させる（ステップＳ６）。そして、ステップＳ１に戻ってステップＳ１以下を繰り返す。
【００４８】
次に、この液晶プロジェクタ１と図３のコンピュータ２やＳＴＢ３との間でＥＤＩＤデータがやりとりされる様子について説明する。ユーザーは、液晶プロジェクタ１の購入後に、例えば最初にコンピュータ２のほうをＤＶＩケーブル４で液晶プロジェクタ１につなぐ場合には、図４のメニュー画面６で「コンピューター」（ＲＧＢ信号）を選択するようにする。
【００４９】
すると、ＣＰＵ１３が図６の処理のステップＳ１〜Ｓ４，Ｓ６を実行することにより、ＥＥＰＲＯＭ１４内のＲＧＢ信号用ＥＤＩＤデータ，ＤＴＶ信号用ＥＤＩＤデータのうちのＲＧＢ信号用ＥＤＩＤデータがＤＤＣ対応ＥＥＰＲＯＭ１１に書き込まれる。これにより、コンピュータ２と液晶プロジェクタ１との間でＲＧＢ信号用ＥＤＩＤデータがやりとりされるので、コンピュータ２に、液晶プロジェクタ１の属性に合わせた設定をＲＧＢ信号について行わせることができる。
【００５０】
その後、今度はＳＴＢ３のほうをＤＶＩケーブル５で液晶プロジェクタ１につなぐ場合には、ユーザーは、図４のメニュー画面６で「ビデオＧＢＲ」（ＤＴＶ信号）を選択するようにする。
【００５１】
すると、ＣＰＵ１３が図６の処理のステップＳ１〜Ｓ３，Ｓ５，Ｓ６を実行することにより、ＥＥＰＲＯＭ１４内のＥＤＩＤデータが、ＤＴＶ信号用ＥＤＩＤデータに書き換えられる。これにより、今度はＳＴＢ３と液晶プロジェクタ１との間でＤＴＶ信号用ＥＤＩＤデータがやりとりされるので、ＳＴＢ３に、液晶プロジェクタ１の属性に合わせた設定をＤＴＶ信号について行わせることができる。
【００５２】
このように、この液晶プロジェクタ１では、ユーザーが、ホスト（コンピュータ２，ＳＴＢ３）を液晶プロジェクタ１につなぐ際にそのホストが出力する映像信号（ＲＧＢ信号，ＤＴＶ信号）を選択する操作を操作パネルのメニュー画面６で行うことにより、ホストから入力する映像信号の種類に応じたＥＤＩＤデータが、ダイナミックにＤＤＣ対応ＥＥＰＲＯＭ１１に書き込まれる。
【００５３】
これにより、ホスト側に、映像表示装置の属性に合わせた設定をＲＧＢ信号，ＤＴＶ信号という２種類の映像信号について行わせることができる。
【００５４】
そして、ＤＤＣ対応ＥＥＰＲＯＭ１１は１個だけしか設けないので、液晶プロジェクタ１の低コスト化が促進されるともに、回路基板の面積が狭くて済むようになって液晶プロジェクタ１全体の小型化が促進される。
【００５５】
また、この液晶プロジェクタ１では、ＤＤＣ対応ＥＥＰＲＯＭ１１にダイナミックに書き込むＲＧＢ信号ＥＤＩＤデータやＤＴＶ信号用ＥＤＩＤデータが、液晶プロジェクタ１内に標準装備されているＥＥＰＲＯＭ１４に格納されている。換言すれば、これらのＥＤＩＤデータを格納しておくためのメモリを新たに設けたりはしていない。したがって、この点からも、液晶プロジェクタ１の低コスト化や液晶プロジェクタ１全体の小型化が一層促進される。
【００５６】
また、ＤＤＣ対応ＥＥＰＲＯＭ１１にＥＤＩＤデータの書き込む際に、ＤＤＣ対応ＥＥＰＲＯＭ１１がホストに接続されている（ホストがＤＶＩケーブルで液晶プロジェクタ１につながれている）と、ＤＤＣ対応ＥＥＰＲＯＭ１１・ホスト間で通信が行われることにより書き込み途中のＥＤＩＤデータ（本来送信すべきＥＤＩＤデータとは異なるデータ）がホストに送信されたり、ＤＤＣ対応ＥＥＰＲＯＭ１１・ホスト間の通信が原因でＤＤＣ対応ＥＥＰＲＯＭ１１・ＣＰＵ１３間の通信に支障が生じたりすることがある。
【００５７】
これに対し、この液晶プロジェクタ１では、ＤＤＣ対応ＥＥＰＲＯＭ１１にＥＤＩＤデータを書き込む際には、ＤＤＣ対応ＥＥＰＲＯＭ１１をＤＶＩコネクタ１ａに接続させない（ＤＤＣ対応ＥＥＰＲＯＭ１１とホストとの接続を切り離す）ようになっている（図６のステップＳ２）。これにより、書き込み途中にＤＤＣ対応ＥＥＰＲＯＭ１１・ホスト間で通信が行われることがなくなるので、本来送信すべきＥＤＩＤデータとは異なるデータがホストに送信される事態や、ＤＤＣ対応ＥＥＰＲＯＭ１１・ホスト間の通信が原因でＤＤＣ対応ＥＥＰＲＯＭ１１・ＣＰＵ１３間の通信に支障が生じる事態が防止されるようになっている。
【００５８】
なお、以上の例では、ＣＰＵ１３は、図４のメニュー画面６での選択結果を示す情報に基づいて、ＤＤＣ対応ＥＥＰＲＯＭ１１に書き込むＥＤＩＤデータの種類を決定している。しかし別の例として、ＣＰＵ１３が、ホストから入力する映像信号の種類を自動的に判別する処理を行い、この処理によって得た情報に基づいて、ＤＤＣ対応ＥＥＰＲＯＭ１１に書き込むＥＤＩＤデータの種類を決定するようにしてもよい。
【００５９】
この自動判別処理の方法としては、ＤＤＣ対応ＥＥＰＲＯＭ１１に最初に書き込むＥＤＩＤデータを例えばＲＧＢ信号用ＥＤＩＤデータに決定しておき、ホストから映像信号が入力した場合には、ホストから入力する映像信号をＲＧＢ信号と判別し、他方ホストから映像信号が入力しなかった場合には、ホストから入力する映像信号をＤＴＶ信号と判別する（その場合には、ＤＤＣ対応ＥＥＰＲＯＭ１１にＤＴＶ信号ＥＤＩＤデータを書き込みし直す）という試行錯誤的な方法が考えられる。
【００６０】
また、以上の例では、ＲＧＢ信号用ＥＤＩＤデータ，ＤＴＶ信号用ＥＤＩＤデータを、ＥＥＰＲＯＭ１４に格納している。しかし、別の例として、これらのＥＤＩＤデータの作成後にその内容を変更したりしない場合には、これらのＥＤＩＤデータを、ＣＰＵ１３が内蔵するプログラムメモリ（フラッシュメモリ等）に、ＣＰＵ１３が実行すべきプログラムとともに格納するようにしてもよい。
【００６１】
また、以上の例では、ＤＶＩに対応した液晶プロジェクタに本発明を適用している。しかしＤＶＩに対応しておらずアナログ映像信号のみを入力する液晶プロジェクタにもＤＤＣに対応したものが存在しているので、そうした液晶プロジェクタにも本発明を適用してよい。
【００６２】
また、以上の例では、ＲＧＢ信号用ＥＤＩＤデータ，ＤＴＶ信号用ＥＤＩＤデータという２種類のＥＤＩＤデータをＤＤＣ対応ＥＥＰＲＯＭ１１にダイナミックに書き込むようにしている。しかし、将来、例えばデジタルコンポーネント信号を出力する機器でＤＤＣに対応したものが登場した場合には、ＲＧＢ信号用ＥＤＩＤデータ，ＤＴＶ信号用ＥＤＩＤデータ，デジタルコンポーネント信号ＥＤＩＤデータという３種類のＥＤＩＤデータをＤＤＣ対応ＥＥＰＲＯＭ１１にダイナミックに書き込む（メニュー画面６でもデジタルコンポーネント信号を選択できるようにし、ＥＥＰＲＯＭ１４にもデジタルコンポーネント信号ＥＤＩＤデータを書き込む）ようにしてもよい。
【００６３】
また、以上の例では、液晶プロジェクタに本発明を適用しているが、液晶プロジェクタ以外の映像表示装置（例えばプラズマディスプレイ等）であってＤＤＣに対応したものにも本発明を適用してよい。
【００６４】
また、本発明は、以上の例に限らず、本発明の要旨を逸脱することなく、その他様々の構成をとりうることはもちろんである。
【００６５】
【発明の効果】
以上のように、本発明によれば、ＤＤＣに対応した映像表示装置において、ホストから入力する映像信号の種類に応じたＥＤＩＤデータが１個のＤＤＣ対応不揮発性メモリにダイナミックに書き込まれるので、ホスト側に、映像表示装置の属性に合わせた設定を複数種類の映像信号について行わせることができるとともに、映像表示装置の低コスト化や映像表示装置全体の小型化が促進されるという効果が得られる。
【００６６】
また、ユーザーが、或る種類の映像信号を出力するホストをこの映像表示装置につなぐとともにその映像信号を選択する操作を行うことにより、その映像信号用のＥＤＩＤデータをこの１個のＤＤＣ対応不揮発性メモリに書き込ませることができるという効果が得られる。
【００６７】
また、映像表示装置内に標準装備されているメモリに複数種類の映像信号用のＥＤＩＤデータを格納することにより、映像表示装置の低コスト化や映像表示装置全体の小型化が一層促進されるという効果が得られる。
【００６８】
また、ＤＤＣ対応不揮発性メモリへの書き込みの際にＤＤＣ対応不揮発性メモリとホストとの接続を切り離すことにより、本来送信すべきＥＤＩＤデータとは異なるデータがホストに送信される事態や、ＤＤＣ対応不揮発性メモリ・ホスト間の通信が原因でＤＤＣ対応不揮発性メモリ・制御手段間の通信に支障が生じる事態を防止できるという効果も得られる。
【図面の簡単な説明】
【図１】ＤＤＣによるメモリの使用エリアを示す図である。
【図２】ＲＧＢ信号用ＥＤＩＤデータを格納するメモリとＤＴＶ信号用ＥＤＩＤデータを格納するメモリとを別々に設ける例を示す図である。
【図３】本発明を適用した液晶プロジェクタとホストとの接続の様子を示す図である。
【図４】本発明を適用した液晶プロジェクタのメニュー画面を示す図である。
【図５】本発明を適用した液晶プロジェクタの回路構成例を示す図である。
【図６】図５のＣＰＵの処理を示すフローチャートである。
【符号の説明】
１　液晶プロジェクタ、　１ａ　ＤＶＩコネクタ、　２　パーソナルコンピュータ、　３　ＳＴＢ、　４，５　ＤＶＩケーブル、　６　メニュー画面、　１１ＤＤＣ対応ＥＥＰＲＯＭ、　１２　スイッチ回路、　１３　ＣＰＵ、　１４　ＥＥＰＲＯＭ
【図１】
2004102067.tif 000003
【図２】
2004102067.tif 000004
【図３】
2004102067.tif 000005
【図４】
2004102067.tif 000006
【図５】
2004102067.tif 000007
【図６】
2004102067.tif 000008